【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
現像剤を収納する現像剤収納部と、
前記現像剤収納部内に設けられた回転体と、
前記回転体に伝達するための回転力を受ける第一カップリング部と、この第一カップリング部の先端側に形成された第一稜線と、を有するカップリング部材と、
前記現像剤収納部内の現像剤を担持し潜像を現像する現像ローラと、
前記現像ローラに伝達するための回転力を受けるギア部材と、
前記第一カップリング部とカップリング結合する第二カップリング部と、この第二カップリング部の先端側に形成された第二稜線と、前記ギア部材とギア結合するギア部と、を有する駆動伝達部材と、
を有するカートリッジにおいて、
前記カップリング部材と前記ギア部材とが予め組み付けられた状態で前記駆動伝達部材を組み付ける過程で前記第一稜線と前記第二稜線とが接触した時に、前記駆動伝達部材に対し前記カップリング部材が相対回転する力を発生させるように前記第一稜線と前記第二稜線とが構成されたことを特徴とするカートリッジ。
【請求項２】
現像剤を収納する現像剤収納部と、
前記現像剤収納部内に設けられた回転体と、
前記回転体に伝達するための回転力を受ける第一カップリング部と、この第一カップリング部の先端側に形成された第一稜線と、を有するカップリング部材と、
潜像が形成される感光体と、
前記感光体に伝達するための回転力を受けるギア部材と、
前記第一カップリング部とカップリング結合する第二カップリング部と、この第二カップリング部の先端側に形成された第二稜線と、前記ギア部材とギア結合するギア部と、を有する駆動伝達部材と、
を有するカートリッジにおいて、
前記カップリング部材と前記ギア部材とが予め組み付けられた状態で前記ギア部材とギア結合させるために前記駆動伝達部材を組み付ける過程で前記第一稜線と前記第二稜線とが接触した時に、前記駆動伝達部材に対し前記カップリング部材が相対回転する力を発生させるように前記第一稜線と前記第二稜線とが構成されたことを特徴とするカートリッジ。
【請求項３】
前記ギア部とギア結合する他のギア部材を有し、
前記カップリング部材と前記ギア部材と前記他のギア部材とが予め組み付けられた状態で前記駆動伝達部材を組み付ける過程で前記第一稜線と前記第二稜線とが接触した時に、前記駆動伝達部材に対し前記カップリング部材が相対回転する力を発生させるように前記第一稜線と前記第二稜線とが構成されたことを特徴とする請求項１または２に記載のカートリッジ。
【請求項４】
前記回転体は、前記現像剤収納部内の現像剤を攪拌する攪拌部材であることを特徴とする請求項１乃至３のいずれか１項に記載のカートリッジ。
【請求項５】
前記回転体は、前記現像剤収納部内の現像剤を搬送する搬送部材であることを特徴とする請求項１乃至３のいずれか１項に記載のカートリッジ。
【請求項６】
前記カップリング部材の回転軸線と前記駆動伝達部材の回転軸線が同一の仮想線に位置している状態において、前記仮想線に投影された前記第一カップリング部と前記第二カップリング部とが離れている状態を離間位置と、前記仮想線に投影された前記第一カップリング部と前記第二カップリング部とが重なっている状態を重なり位置と、規定し、
前記駆動伝達部材が前記カップリング部材に対し前記離間位置から前記重なり位置まで移動する過程で前記第１稜線と前記第２稜線が接触した状態では、
前記仮想線を含む第１仮想面に前記第１稜線及び前記第２稜線が投影されたときに、前記第１稜線と前記第２稜線とが交差しており、
前記仮想線に対して直交する第２仮想面に前記第１稜線及び前記第２稜線が投影されたときに、前記第１稜線と前記第２稜線とが交差しており、交差している交点における前記第１稜線の法線、及び前記第２稜線の法線の少なくとも一方が前記仮想線を通らないように構成されていることを特徴とする請求項１乃至５のいずれか１項に記載のカートリッジ。
【手続補正２】
【補正対象書類名】明細書
【補正対象項目名】発明の名称
【補正方法】変更
【補正の内容】
【発明の名称】カートリッジ
【手続補正３】
【補正対象書類名】明細書
【補正対象項目名】０００１
【補正方法】変更
【補正の内容】
【０００１】
この発明は、画像形成装置に用いられるカートリッジに関するものである。
【手続補正４】
【補正対象書類名】明細書
【補正対象項目名】０００９
【補正方法】変更
【補正の内容】
【０００９】
本発明の目的は、カップリング構成およびギア構成を併用するカートリッジにおいて、干渉回避のためのスペースや付勢バネ等の追加部品を必要としないカートリッジを提供することにある。
【手続補正５】
【補正対象書類名】明細書
【補正対象項目名】００１０
【補正方法】変更
【補正の内容】
【００１０】
上記目的を達成するために、第一の本発明は、
現像剤を収納する現像剤収納部と、
前記現像剤収納部内に設けられた回転体と、
前記回転体に伝達するための回転力を受ける第一カップリング部と、この第一カップリング部の先端側に形成された第一稜線と、を有するカップリング部材と、
前記現像剤収納部内の現像剤を担持し潜像を現像する現像ローラと、
前記現像ローラに伝達するための回転力を受けるギア部材と、
前記第一カップリング部とカップリング結合する第二カップリング部と、この第二カップリング部の先端側に形成された第二稜線と、前記ギア部材とギア結合するギア部と、を有する駆動伝達部材と、
を有するカートリッジにおいて、
前記カップリング部材と前記ギア部材とが予め組み付けられた状態で前記駆動伝達部材を組み付ける過程で前記第一稜線と前記第二稜線とが接触した時に、前記駆動伝達部材に対し前記カップリング部材が相対回転する力を発生させるように前記第一稜線と前記第二稜線とが構成されたことを特徴とする。
【手続補正６】
【補正対象書類名】明細書
【補正対象項目名】００１１
【補正方法】変更
【補正の内容】
【００１１】
上記目的を達成するために、第二の本発明は、
現像剤を収納する現像剤収納部と、
前記現像剤収納部内に設けられた回転体と、
前記回転体に伝達するための回転力を受ける第一カップリング部と、この第一カップリング部の先端側に形成された第一稜線と、を有するカップリング部材と、
潜像が形成される感光体と、
前記感光体に伝達するための回転力を受けるギア部材と、
前記第一カップリング部とカップリング結合する第二カップリング部と、この第二カップリング部の先端側に形成された第二稜線と、前記ギア部材とギア結合するギア部と、を有する駆動伝達部材と、
を有するカートリッジにおいて、
前記カップリング部材と前記ギア部材とが予め組み付けられた状態で前記駆動伝達部材を組み付ける過程で前記第一稜線と前記第二稜線とが接触した時に、前記駆動伝達部材に対し前記カップリング部材が相対回転する力を発生させるように前記第一稜線と前記第二稜線とが構成されたことを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
以上説明したように、本発明によれば、カップリング構成およびギア構成を併用した場合であっても、干渉回避のためのスペースや付勢バネ等の追加部品を必要としないカートリッジを提供することができる。
【手続補正９】
【補正対象書類名】明細書
【補正対象項目名】００１４
【補正方法】変更
【補正の内容】
【００１４】
（参考例）
本発明の参考例に係るカートリッジ及び画像形成装置の一例としてのカラー電子写真画像形成装置（以下「画像形成装置」という）の実施形態について、図を用いて説明する。
【手続補正１０】
【補正対象書類名】明細書
【補正対象項目名】００３０
【補正方法】変更
【補正の内容】
【００３０】
（駆動力伝達装置）
次に、この発明の参考例による、端面カップリング構成である駆動力伝達装置について説明する。本参考例においては、画像形成装置本体からの駆動を、カートリッジの感光体ドラムに伝達する場合を説明する。図１は、本発明の駆動力伝達装置を示す斜視図である。また、図５は本発明の駆動力伝達装置とその周辺部を示す断面図である。
【手続補正１１】
【補正対象書類名】明細書
【補正対象項目名】００４８
【補正方法】変更
【補正の内容】
【００４８】
なお、第１カップリング部材５１が矢印Ｇ方向へ、第２カップリング部材が矢印Ｈ方向へ回転するためには、軸線（仮想線）方向から見て、第１稜線５１ｅと第２稜線４２ｅの交点における両方の法線が軸中心を通らない構成となっている必要はない。即ち、交点における第１稜線５１ｅと第２稜線４２ｅの少なくとも一方の法線が、軸線方向から見て、軸中心を通らない構成となっていればよい。しかしながら、本参考例のように両方の法線が軸中心を通らない構成となっていれば、第１カップリング部材５１と第２カップリング部材の相対移動させ易くできる。そのため、第１カップリング部材５１と第２カップリング部材を係合させ易くなる。
【手続補正１２】
【補正対象書類名】明細書
【補正対象項目名】００５３
【補正方法】変更
【補正の内容】
【００５３】
また、本参考例では、第１稜線を構成している２つの面は、何れも平面であるが、凸稜線は平面と曲面、または、２つの曲面により構成されているものでもよい。また、第２稜線についても同様である。
【手続補正１３】
【補正対象書類名】明細書
【補正対象項目名】００６４
【補正方法】変更
【補正の内容】
【００６４】
（実施例１）
次に、この発明の実施例による、端面カップリング構成の駆動力伝達装置を有する現像装置である現像ユニット、及び、カートリッジについて図を用いて説明する。本実施例においては、現像装置内の現像剤を攪拌・搬送する攪拌部材に駆動を伝達する第１カップリング部材、及び、第２カップリング部材について説明する。
【手続補正１４】
【補正対象書類名】明細書
【補正対象項目名】００６８
【補正方法】変更
【補正の内容】
【００６８】
攪拌軸５４の他端５４ｂは第１カップリング部材であるギア５６の一端５６ｂと係合している。ギア５６は軸受部材３２により、攪拌軸５４と同軸で、回転可能に支持されている。攪拌軸５４とギア５６との係合においては、先述の参考例と同様の端面カップリング構成である。すなわち、図２０に示すように、第１カップリング部材であるギア５６は駆動伝達部である駆動力伝達面５６ｆ、及び、面５６ｃと面５６ｄとから構成される第１稜線５６ｅを有している。一方、第２カップリング部材である攪拌軸５４は駆動伝達部である駆動力伝達面５４ｆ、及び、面５４ｃと面５４ｄとから構成される第２稜線５４ｅを有している。更に、第１稜線５６ｅと第２稜線５４ｅとは、前述の参考例における第１稜線５１ｅと第２稜線４２ｅと同様の関係となっている。